(57)【要約】【課題】他人にリモート操作で用件メッセージを盗み聞きされることをなくす。【解決手段】交換機から送出される発信者の電話番号を受信する発信者電話番号受信手段、受信した発信者の電話番号と予め登録された電話番号とを比較する手段、応答メッセージ送出手段、用件メッセージ録音手段、録音された用件メッセージを再生し回線に送出する用件メッセージ送出手段、録音された用件メッセージの内、前記用件メッセージ送出手段により送出されていない用件メッセージの件数をカウントする計数手段を設け、前記比較手段により電話番号が一致しない場合は、応答メッセージ送出手段および用件メッセージ録音手段を動作させ、前記比較手段により電話番号が一致する場合は、前記計数手段によるカウントが１件以上になる場合に用件メッセージ送出手段を動作させ、前記計数手段によるカウントが０件の場合は着信に対して応答しないよう制御する。【選択図】　　　　図１
2004147057.tif 000002
【特許請求の範囲】
【請求項１】
着信時に交換機から発信者の電話番号データが送出される回線に接続される留守番電話機において、交換機から送出される発信者の電話番号を受信する発信者電話番号受信手段、受信した発信者の電話番号と予め登録された電話番号とを比較する手段、回線に対して応答メッセージを送出する応答メッセージ送出手段、回線からの用件メッセージを録音する用件メッセージ録音手段、録音された用件メッセージを再生し回線に送出する用件メッセージ送出手段、録音された用件メッセージの内、前記用件メッセージ送出手段により送出されていない用件メッセージの件数をカウントする計数手段を設け、前記比較手段により電話番号が一致しない場合は、応答メッセージ送出手段および用件メッセージ録音手段を動作させ、前記比較手段により電話番号が一致する場合は、前記計数手段によるカウントが１件以上になる場合に用件メッセージ送出手段を動作させ、前記計数手段によるカウントが０件の場合は着信に対して応答しないよう制御したことを特徴とする留守番電話機。
【発明の詳細な説明】
【０００１】
【発明の属する技術分野】
本発明は、ナンバーディスプレイなどのように着信時に交換機から発信者の電話番号データが送出される回線に接続される留守番電話機に関する。
【０００２】
【従来の技術】
従来の留守番電話機では、外出先から留守番電話機に録音されている用件メッセージを確認することができる。その方法はまず留守番電話機に電話をかけ、応答メッセージが送出されている間に暗証番号を入力すると、録音されている用件メッセージが再生され聞くことができるというものである。
【０００３】
【発明が解決しようとする課題】
しかしながら上述の方法では、暗証番号といっても４桁程度からなる数字なので、他人が留守番電話機に電話をかけた場合でも、偶然暗証番号が一致したり、暗証番号が一致しなかった場合でも何度も繰り返せば暗証番号が一致してしまい、他人に留守番電話機に録音されている用件メッセージを盗み聞きされてしまうという問題があった。
【０００４】
また、暗証番号を忘れてしまった場合は、外出先から録音されている用件メッセージを確認することができない。
【０００５】
本発明は、以上の点に着目して成されたもので、他人にリモート操作で用件メッセージを盗み聞きされることをなくす留守番電話機を提供することを目的とする。
【０００６】
【課題を解決するための手段】
最近では携帯電話が普及しているので、外出時も携帯電話を携帯していることが多い。ということは、外出先から留守番電話機に録音されている用件メッセージの確認が行える電話機をその携帯電話に限定すれば、暗証番号を記憶しておく必要がない。
【０００７】
したがって本発明によれば、着信時に交換機から発信者の電話番号データが送出される回線に接続される留守番電話機において、交換機から送出される発信者の電話番号を受信する発信者電話番号受信手段、受信した発信者の電話番号と予め登録された電話番号とを比較する手段、回線に対して応答メッセージを送出する応答メッセージ送出手段、回線からの用件メッセージを録音する用件メッセージ録音手段、録音された用件メッセージを再生し回線に送出する用件メッセージ送出手段、録音された用件メッセージの内、前記用件メッセージ送出手段により送出されていない用件メッセージの件数をカウントする計数手段を設け、前記比較手段により電話番号が一致しない場合は、応答メッセージ送出手段および用件メッセージ録音手段を動作させ、前記比較手段により電話番号が一致する場合は、前記計数手段によるカウントが１件以上になる場合に用件メッセージ送出手段を動作させ、前記計数手段によるカウントが０件の場合は着信に対して応答しないよう制御したことにより、留守番電話機に録音されている用件メッセージを他人に盗み聞きされることがなくなると共に、暗証番号を記憶しておく必要がないので確実に録音されている用件メッセージを確認することができる。
【０００８】
【発明の実施の形態】
以下に本発明の実施の形態を説明する。
【０００９】
図１は本発明の実施の形態に係る留守番電話機の構成図であり、ＣＰＵ１０１は本留守番電話機の制御を行い、ＲＯＭ１０２は本本留守番電話機の制御プログラム等を格納するためのメモリ、ＲＡＭ１０３は各種登録データや音声メッセージを格納するために使用するメモリ、表示部１０４は本本留守番電話機の状態などを表示する。マイク１０５応答メッセージを録音する時に音声を入力するためのものであり、操作部１０６は複数のキーから構成され、各種操作の指示を行うためのものである。ＭＯＤＥＭ１０７は交換機から送出される発信者電話番号の受信やＤＴＭＦ信号の送出、および音声メッセージの符号化／復号化を行うためのものであり、ＮＣＵ１０８は通信やパルス信号の送出のために網制御を行うものである。またハンドセット１０９はＮＣＵ１１１を介して相手と通話を行うためのものである。
【００１０】
次に、図２のフローチャートを用いて、留守番電話機が着信する際の制御方法について説明する。
【００１１】
まず回線からのＣＩ（呼出信号）をＮＣＵ１０８で検出する（Ｓ２０１）。ＣＩを検出したならば、交換機から送出される発信者の電話番号をＮＣＵ１０８を経由してＭＯＤＥＭ１０７で受信する（Ｓ２０２）。
【００１２】
そして、受信した発信者の電話番号と予め登録しておいた携帯電話の電話番号とを比較する（Ｓ２０３）。携帯電話からかけた時はその結果が一致するので、ＲＡＭ１０３内のまだ再生していない用件メッセージの件数をカウントし、１件以上あるか判定する（Ｓ２０８、Ｓ２０９）。
【００１３】
その結果、１件以上あると判定された場合は、回線を閉結し、ＲＡＭ１０３内のまだ再生していない用件メッセージをＭＯＤＥＭ１０７で復号化し、回線に送出する（Ｓ２１０、Ｓ２１１）。それにより、外出先から留守番電話に録音されている用件メッセージを確認することができる。
【００１４】
またステップＳ２０９において、ＲＡＭ１０３内のまだ再生していない用件メッセージが０件、つまり存在しないと判定された場合は、電話料金がかからないようするために回線を閉結せずにＣＩが無くなるまで待つ（Ｓ２１２）。こうすることで、新しい用件メッセージが録音されていないことを通知することもできる。
【００１５】
一方、他人が電話をかけてきた場合は、ステップＳ２０３において予め登録しておいた携帯電話の電話番号と一致しないので、通常の留守番電話動作を行う。つまり、予め録音しておいた応答メッセージをＭＯＤＥＭ１０７で復号化して回線に送出し、回線からの用件メッセージをＭＯＤＥＭ１０７で符号化してＲＡＭ１０３に格納する（Ｓ２０５、Ｓ２０６）。
【００１６】
最後に回線を開放して待機状態に戻る（Ｓ２０７）。
【００１７】
上述の実施例において、外出先から用件メッセージを確認することができる電話番号は１つであっても複数であってもかまわない。
【００１８】
【発明の効果】
以上説明したように、本発明によれば、着信時に交換機から発信者の電話番号データが送出される回線に接続される留守番電話機において、交換機から送出される発信者の電話番号を受信する発信者電話番号受信手段、受信した発信者の電話番号と予め登録された電話番号とを比較する手段、回線に対して応答メッセージを送出する応答メッセージ送出手段、回線からの用件メッセージを録音する用件メッセージ録音手段、録音された用件メッセージを再生し回線に送出する用件メッセージ送出手段、録音された用件メッセージの内、前記用件メッセージ送出手段により送出されていない用件メッセージの件数をカウントする計数手段を設け、前記比較手段により電話番号が一致しない場合は、応答メッセージ送出手段および用件メッセージ録音手段を動作させ、前記比較手段により電話番号が一致する場合は、前記計数手段によるカウントが１件以上になる場合に用件メッセージ送出手段を動作させ、前記計数手段によるカウントが０件の場合は着信に対して応答しないよう制御したことにより、留守番電話機に録音されている用件メッセージを他人に盗み聞きされることがなくなると共に、暗証番号を記憶しておく必要がないので確実に録音されている用件メッセージを確認することができる。
【図面の簡単な説明】
【図１】本発明の実施形態に係る留守番電話機の構成図である。
【図２】本発明の実施形態における着信時の処理を示すフローチャートである。
【符号の説明】
１０１　ＣＰＵ
１０２　ＲＯＭ
１０３　ＲＡＭ
１０４　表示部
１０５　マイク
１０６　操作部
１０７　ＭＯＤＥＭ
１０８　ＮＣＵ
１０９　ハンドセット
【図１】
2004147057.tif 000003
【図２】
2004147057.tif 000004